(57)【特許請求の範囲】
【請求項１】
携帯端末装置と第１の経路を用いて接続されて通信を行う第１の接続手段と、
前記第１の接続手段に前記第１の経路を介して前記携帯端末装置が接続されているときに、通話相手を特定するとともに、この通話相手に対して前記携帯端末装置を通して発呼処理を行う第１の電話処理手段と、
前記携帯端末装置と第２の経路を用いて接続されて通信を行う第２の接続手段と、
前記第２の接続手段に前記第２の経路を介して前記携帯端末装置が接続されているときに、利用者の指示に応じて、前記携帯端末装置と連携する処理を行う連携処理手段と、
前記連携処理手段による処理を開始する時点で、前記第１の経路を遮断する接続遮断手段と、
前記連携処理手段による処理が開始された後、前記第１の電話処理手段と同じ手順で通話相手を特定するとともに、連携する前記携帯端末装置に対してこの特定した通話相手を指定して発呼処理を依頼する第２の電話処理手段と、
を備えることを特徴とする情報処理装置。
【請求項２】
請求項１において、
前記接続遮断手段によって前記第１の経路を遮断する前に、前記第１の経路を介して接続された前記携帯端末装置から第１の識別情報を取得する第１の取得手段と、
前記第２の接続手段によって前記第２の経路を介して前記携帯端末装置が接続された後に、この携帯端末装置から第２の識別情報を取得する第２の取得手段と、
をさらに備え、前記第２の電話処理手段は、前記第１の識別情報と前記第２の識別情報が一致した場合に前記携帯端末装置に対して発呼処理を行わせることを特徴とする情報処理装置。
【請求項３】
請求項２において、
前記第１の取得手段は、前記第１の識別情報とともに、複数の通話相手の電話番号、氏名・名称が少なくとも含まれる電話帳データを取得することを特徴とする情報処理装置。
【請求項４】
請求項１〜３のいずれか一項において、
前記第１の電話処理手段は、少なくとも一の通話相手に対応して登録された短縮番号と、利用者が指定した番号とを比較することにより、通話相手を特定することを特徴とする情報処理装置。
【請求項５】
請求項１〜４のいずれか一項において、
前記第１の電話処理手段は、少なくとも一の通話相手に対応して登録された音声情報と、利用者が発声した音声とを比較することにより、通話相手を特定することを特徴とする情報処理装置。
【発明の詳細な説明】
【技術分野】
【０００１】
本発明は、携帯端末装置が接続されて通話相手に電話をかける情報処理装置に関する。
【背景技術】
【０００２】
最近では、スマートホンと称される携帯端末装置と車載装置との連携が進んでおり、携帯端末装置と同じ画面を車載装置に表示するとともに、車載装置に備わったタッチパネルを用いて表示画面を用いた各種の操作を行うことができるようになっている。例えば、オペレーティングシステムとしてｉＯＳ（アイオーエス、登録商標）を用いたｉＰｈｏｎｅ（アイフォーン、登録商標）と称される携帯端末装置で提供されるＣａｒＰｌａｙ（登録商標）などにより、上述した動作が実現されている。このような連携により、例えば、車載装置に対して操作を行うことにより携帯端末装置の電話機能を利用して特定の相手に電話をかけたり、かかってきた電話を取って通話を行うことが可能となる。
【０００３】
一方、このような連携が実現する以前から、車載装置に電話帳データを格納しておいてこの電話帳データの中から特定の相手を選択して電話番号を特定し、外付けの携帯端末装置にこの電話番号を送って電話をかける手法が知られている。この場合に、電話帳データや発信履歴データおよび着信履歴データの内容を示す画面や、通話相手を特定する操作画面は、車載装置に備わった電話機能により作成されて表示される。なお、これらの電話帳データや発信履歴データおよび着信履歴データを、接続された携帯電話機から取得するようにした車載ハンズフリー装置が知られている（例えば、特許文献１参照。）。
【先行技術文献】
【特許文献】
【０００４】
【特許文献１】特開２０１４−１１６９５８号公報
【発明の概要】
【発明が解決しようとする課題】
【０００５】
ところで、上述した車載装置と連携する携帯端末装置の電話機能を用いて電話をかける場合（第１の接続方式）と、車載装置の電話機能を用いて通話相手を特定して電話番号を携帯端末装置に送って電話をかける場合（第２の接続方式）とで、異なる接続方式が要求される場合がある。例えば、第１の接続方式としてＵＳＢケーブルを介した接続が要求され、第２の接続方式としてブルートゥース（登録商標）を介した接続が要求される場合がある。しかも、ブルートゥースを用いて車載装置と携帯端末装置とを接続して必要に応じて電話機能を使用しているときに、ＵＳＢケーブルを用いて車載装置と携帯端末装置とを接続して連携動作を開始すると、ブルートゥースを用いた接続が中断されるケースがある。電話をかける動作自体は、携帯端末装置の電話機能を用いることで可能になるが、２つの接続方式のそれぞれに対応する電話機能の違いから操作手順が異なることになり、操作性が低下するという問題があった。また、車載装置の電話機能のみに備わった機能（例えば、短縮ダイヤル機能や電話番号に対応付けて登録された音声を用いて電話をかける機能など）がある場合には、第２の接続方式を用いて接続した場合には使える機能が第１の接続方式を用いて接続した場合には使えないことになり、使える機能が制限されるという問題があった。
【０００６】
本発明は、このような点に鑑みて創作されたものであり、その目的は、接続方式毎の操作手順の違いによる操作性の低下を防止するとともに、接続方式による機能制限をなくすことができる情報処理装置を提供することにある。
【課題を解決するための手段】
【０００７】
上述した課題を解決するために、本発明の情報処理装置は、携帯端末装置と第１の経路を用いて接続されて通信を行う第１の接続手段と、第１の接続手段に第１の経路を介して携帯端末装置が接続されているときに、通話相手を特定するとともに、この通話相手に対して携帯端末装置を通して発呼処理を行う第１の電話処理手段と、携帯端末装置と第２の経路を用いて接続されて通信を行う第２の接続手段と、第２の接続手段に第２の経路を介して携帯端末装置が接続されているときに、利用者の指示に応じて、携帯端末装置と連携する処理を行う連携処理手段と、連携処理手段による処理を開始する時点で、第１の経路を遮断する接続遮断手段と、連携処理手段による処理が開始された後、第１の電話処理手段と同じ手順で通話相手を特定するとともに、連携する携帯端末装置に対してこの特定した通話相手を指定して発呼処理を依頼する第２の電話処理手段とを備えている。
【０００８】
これにより、携帯端末装置と連携動作中に電話をかける場合であっても、情報処理装置に備わった第１の電話処理手段と同じ手順で通話相手を特定する処理が行われるため、第１の電話処理手段が直接携帯端末装置を通して電話をかける場合と同様の操作性を実現することができ、接続方式毎の操作手順の違いによる操作性の低下を防止することができる。
【０００９】
また、上述した接続遮断手段によって第１の経路を遮断する前に、第１の経路を介して接続された携帯端末装置から第１の識別情報を取得する第１の取得手段と、第２の接続手段によって第２の経路を介して携帯端末装置が接続された後に、この携帯端末装置から第２の識別情報を取得する第２の取得手段とをさらに備え、第２の電話処理手段は、第１の識別情報と第２の識別情報が一致した場合に携帯端末装置に対して発呼処理を行わせることが望ましい。これにより、想定していない携帯端末装置が接続されている場合にこの携帯端末装置を用いて電話をかける誤操作を回避することができる。
【００１０】
また、上述した第１の取得手段は、第１の識別情報とともに、複数の通話相手の電話番号、氏名・名称が少なくとも含まれる電話帳データを取得することが望ましい。これにより、第１の経路が遮断される前に携帯端末装置が保持していた情報を用いて、遮断後に通話相手を特定することができる。
【００１１】
また、上述した第１の電話処理手段は、少なくとも一の通話相手に対応して登録された短縮番号と、利用者が指定した番号とを比較することにより、通話相手を特定することが望ましい。あるいは、上述した第１の電話処理手段は、少なくとも一の通話相手に対応して登録された音声情報と、利用者が発声した音声とを比較することにより、通話相手を特定することが望ましい。これにより、情報処理装置が有する独自の方法を、通話相手の特定に利用することができる。
【図面の簡単な説明】
【００１２】
【図１】一実施形態の車載装置の構成を示す図である。
【図２】一実施形態の携帯端末装置の構成を示す図である。
【図３】ブルートゥース接続からＵＳＢ接続に切り替わった後に車載装置から電話をかける動作手順を示す流れ図である。
【発明を実施するための形態】
【００１３】
以下、本発明を適用した一実施形態の車載装置と携帯端末装置について、図面を参照しながら説明する。
【００１４】
図１は、一実施形態の車載装置の構成を示す図である。図１に示すように、車載装置１は、ナビゲーション処理部１０、ＴＶチューナ処理部１４、ラジオチューナ処理部１６、ＡＶ処理部１８、操作部２０、発話スイッチ（ＳＷ）２２、タッチパネル２４、入力制御部２６、表示処理部３０、表示装置３２、デジタル−アナログ変換器（Ｄ／Ａ）４０、スピーカ４２、マイクロホン４４、アナログ−デジタル変換器（Ａ／Ｄ）４６、制御部５０、ハードディスク装置（ＨＤＤ）７０、ＵＳＢ（Universal Serial Bus）インタフェース部（ＵＳＢ  Ｉ／Ｆ）８０、ブルートゥース・インタフェース部（ＢＴ  Ｉ／Ｆ）８２を備えている。
【００１５】
ナビゲーション処理部１０は、ハードディスク装置７０に記憶されている地図データを用いて車載装置１が搭載された車両の走行を案内するナビゲーション動作を行う。自車位置を検出するＧＰＳ（Global Positioning System）装置１２とともに用いられ、車両の走行を案内するナビゲーション動作には、地図表示、経路探索・誘導のほかに周辺施設を検索して表示する動作などが含まれる。なお、自車位置検出は、ＧＰＳ１２の他にジャイロセンサや車速センサ等の自律航法センサを組み合わせて用いるようにしてもよい。
【００１６】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。ＡＶ処理部１８は、圧縮されてハードディスク装置７０に記憶されている音楽データや映像データを読み出して再生する処理を行う。なお、音楽データや映像データは、ディスク読取装置（図示せず）を用いてＣＤやＤＶＤから読み取ったものを用いたり、携帯端末装置９０から送られてくるものをブルートゥース・インタフェース部８０経由で受信して用いるようにしてもよい。
【００１７】
操作部２０は、利用者による各種操作を受け付けるためのものであり、各種のスイッチや操作つまみ等が備わっている。発話スイッチ２２は、利用者がマイクロホン４４に向けて発声する際に利用者によって操作されて発話タイミングを指示するために用いられる。タッチパネル２４は、表示装置３２の画面に重ねて配置されており、利用者の指が接触した画面上の位置を検出する。このタッチパネル２４としては、例えば静電容量式のタッチパネルが用いられるが、その他の方式（抵抗膜方式等）のタッチパネルを用いるようにしてもよい。入力制御部２６は、操作部２０、発話スイッチ２２およびタッチパネル２４の操作状態を監視し、利用者による入力内容を検出する。
【００１８】
表示処理部３０は、各種の操作画面や入力画面等を表示する映像信号を出力して表示装置３２にこれらの画面を表示するとともに、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００１９】
デジタル−アナログ変換器４０は、ナビゲーション処理部１０、ＴＶチューナ処理部１４、ラジオチューナ処理部１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００２０】
マイクロホン４４は、利用者（運転者）が発声する音声を集音する。アナログ−デジタル変換器４６は、マイクロホン４４で集音された音声信号をデジタルデータに変換する。なお、実際には、マイクロホン４４とアナログ−デジタル変換器４６との間には音声信号を増幅する増幅器が接続されており、増幅後の音声信号がデジタルデータに変換されるが、図１ではこの増幅器は省略されている。
【００２１】
制御部５０は、車載装置１の全体を制御するためのものであり、ＲＯＭやＲＡＭなどに格納された所定のプログラムをＣＰＵで実行することにより実現される。ＵＳＢインタフェース部８０は、ＵＳＢケーブルを介して携帯端末装置９０などとの間で信号の入出力を行うためのものである。このＵＳＢインタフェース部８０には、ＵＳＢポートやＵＳＢホストコントローラが含まれる。ブルートゥース・インタフェース部８２は、ブルートゥースによって車載装置１と携帯端末装置９０等との間で信号の送受信を行う通信装置（ブルートゥース機器）である。
【００２２】
また、上述した制御部５０は、接続検出部５１、第１の電話処理部５２、第１の情報取得部５３、連携処理部５４、接続遮断部５５、第２の情報取得部５６、第２の電話処理部５７を有する。
【００２３】
接続検出部５１は、ＵＳＢケーブルを介してＵＳＢインタフェース部８０に携帯端末装置９０が接続されたことを検出する。
【００２４】
第１の電話処理部５２は、ブルートゥースを介して携帯端末装置９０が接続されているときに、通話相手を特定するとともに、この通話相手に対して携帯端末装置９０を通して電話をかける処理（発呼処理）を行う。この第１の電話処理部５２の動作は、従来から行われている動作であり、例えばＨＦＰ（Hands-Free Profile）を用いることにより、特定した通話相手に対して電話をかけて通話を行うことが可能となる。
【００２５】
第１の情報取得部５３は、ブルートゥースを介して接続された携帯端末装置９０からこの携帯端末装置９０の識別情報（ブルートゥースを介して取得される識別情報が「第１の識別情報」に対応する）と電話帳データとを含むデバイス情報を取得する。ここで、「識別情報」とは、携帯端末装置９０を識別する固有の情報である。また、「電話帳データ」には、各通話相手毎に、電話番号、氏名・名称、タイプ（家庭用／仕事用／携帯等）、イメージデータ（通話相手に関する画像）が含まれている。取得したデバイス情報は、ハードディスク装置７０に保存される。
【００２６】
連携処理部５４は、利用者によって携帯端末装置９０との連携が指示されたときに、携帯端末装置９０に向けてその旨を通知した後、携帯端末装置９０と連携する処理を行う。例えば、この連携処理はＣａｒＰｌａｙやオペレーティングシステムとしてＡｎｄｒｏｉｄ（アンドロイド、登録商標）を用いた携帯端末装置で提供されるＡｎｄｒｏｉｄ  Ａｕｔｏ（登録商標）の処理と同じであって、連携処理部５４は、携帯端末装置９０の表示画面と同じ画面を表示装置３２に表示するとともに、タッチパネル２４を用いてこの画面に対して行った操作内容を携帯端末装置９０に向けて送信することにより、携帯端末装置９０と連携する処理を行う。さらに、連携処理部５４は、発話スイッチ２２がオンされている間にマイクロホン４４で集音した利用者の音声をアナログ-デジタル変換器４６を通してデジタルデータに変化したものを携帯端末装置９０に向けて送信するようにしてもよい。
【００２７】
接続遮断部５５は、連携処理部５４による連携処理を開始する時点で、ブルートゥースを用いた携帯端末装置９０との間の接続（第１の経路）を遮断する。
【００２８】
第２の情報取得部５６は、ＵＳＢケーブルを介して接続された携帯端末装置９０からこの携帯端末装置９０の識別情報（ＵＳＢケーブルを介して取得される識別情報が「第２の識別情報」に対応する）を含むデバイス情報を取得する。第１および第２の情報取得部５３、５６によって取得される第１および第２の識別情報は、同一の携帯端末装置９０が接続されている場合には同じとなる。取得したデバイス情報は、ハードディスク装置７０に保存される。
【００２９】
第２の電話処理部５７は、連携処理部５４による連携処理が開始された後、第１の電話処理部５２と同じ手順で通話相手を特定するとともに、連携する携帯端末装置９０に備わった電話機能（後述する）に対してこの特定した通話相手を指定して発呼処理を依頼する。
【００３０】
ところで、第１の電話処理部５２では、（１）車載装置１に備わった独自の機能を用いて通話相手を特定する動作と、（２）この特定した通話相手に対してＨＦＰを用いて電話をかける動作とが行われる。
【００３１】
一方、第２の電話処理部５７では、（１）の動作については第１の電話処理部５２と同じであるが、（２）の動作の代わりに、（３）特定した通話相手を指定して、連携動作中の携帯端末装置９０に対して発呼処理を依頼する動作を行う点が異なっている。すなわち、第２の電話処理部５７は、電話をかける動作は自分で行わずに、携帯端末装置９０に依頼している。
【００３２】
また、上述した通話相手を特定する（１）の動作は、車載装置１に備わっている独自の機能を用いることができるため、第１の情報取得部５３によって取得したデバイス情報に含まれる電話帳データに、各通話相手毎の短縮番号を割り振って、この短縮番号を指定して通話相手を特定する「短縮番号機能」や、各通話相手毎に愛称等の音声を登録しておいてこの愛称等を音声入力（例えば、発話スイッチ２２をオンした状態で利用者がマイクロホン４４に向けて発声する）することで通話相手を特定する「ボイスタグ機能」を用いることが可能となる。なお、これらの使用可能な機能は、一例を示したものであって、通話相手が特定できればこれら以外の手法を適宜追加してもよい。
【００３３】
上述したブルートゥース・インタフェース部８２が第１の接続手段に、第１の電話処理部５２が第１の電話処理手段に、ＵＳＢインタフェース部８０が第２の接続手段に、連携処理部５４が連携処理手段に、接続遮断部５５が接続遮断手段に、第２の電話処理部５７が第２の電話処理手段に、第１の情報取得部５３が第１の取得手段に、第２の情報取得部５６が第２の取得手段にそれぞれ対応する。
【００３４】
図２は、一実施形態の携帯端末装置９０の構成を示す図である。図２に示すように、携帯端末装置９０は、一般にスマートフォンと称されるものであり、携帯電話機と携帯情報端末の機能を有する。この携帯端末装置９０は、制御部１００、操作部１１０、タッチパネル１１２、入力制御部１１４、表示処理部１２０、表示部１２２、デジタル−アナログ変換器（Ｄ／Ａ）１３０、スピーカ１３２、マイクロホン１３４、アナログ−デジタル変換器（Ａ／Ｄ）１３６、電話処理部１５０、メモリ１６０、ＵＳＢインタフェース部（ＵＳＢ  Ｉ／Ｆ）１７０、ブルートゥース・インタフェース部１７２を備えている。
【００３５】
制御部１００は、携帯端末装置９０の全体を制御するためのものであり、ＣＰＵ、ＲＡＭ、ＲＯＭなどを含んで構成され、ＲＡＭやＲＯＭに格納されたプログラムやメモリ１６０に格納された各種のアプリケーションプログラムを実行することにより各種の動作を行う。
【００３６】
操作部１１０は、利用者による各種操作を受け付けるためのものであり、各種のスイッチや操作つまみ等が備わっている。タッチパネル１１２は、表示部１２２の画面に重ねて配置されており、利用者の指が接触した画面上の位置を検出する。このタッチパネル１１２としては、例えば静電容量式のタッチパネルが用いられるが、その他の方式（抵抗膜方式等）のタッチパネルを用いるようにしてもよい。入力制御部１１４は、操作部１１０およびタッチパネル１１２の操作状態を監視し、利用者による入力内容を検出する。
【００３７】
表示処理部１２０は、各種の操作画面や入力画面等を表示する映像信号を出力して表示部１２２にこれらの画面を表示する。表示部１２２は、ＬＣＤ（液晶表示装置）等で構成されており、操作部１１０やタッチパネル１１２を用いた操作内容や制御部１００による制御内容および処理内容などが表示される。
【００３８】
デジタル−アナログ変換器１３０は、携帯端末装置９０を電話機として使用した際の着信音声データ等をアナログ信号に変換してスピーカ１３２から出力する。マイクロホン１３４は、利用者が発声した音声を集音する。集音した音声は、アナログ−デジタル変換器１３６によってデジタルデータに変換される。
【００３９】
電話処理部１５０は、携帯電話機としての処理を行う。例えば、電話処理部１５０は、基地局との間で発着信処理を行って通話処理やインターネット接続処理等を行う。
【００４０】
メモリ１６０は、各種のアプリケーションプログラムや各アプリケーションプログラムの実行に必要な各種データ（例えば、地図データ、楽曲データ、電話帳データなど）を格納する。ＵＳＢインタフェース部１７０は、ＵＳＢホストとしての車載装置１とＵＳＢデバイスとしての携帯端末装置９０との間で信号の入出力を行うためのものであり、ＵＳＢホストコントローラを含んでいる。ブルートゥース・インタフェース部１７２は、ブルートゥースによって携帯端末装置９０と車載装置１やその他の装置との間で信号の送受信を行う通信装置（ブルートゥース機器）である。
【００４１】
また、上述した制御部１００は、情報送信部１０１、連携処理部１０２、電話処理部１０３を有する。情報送信部１０１は、ＵＳＢケーブルを介して接続された車載装置１に携帯端末装置９０の識別情報を含むデバイス情報を送信する。このデバイス情報が、上述した車載装置１の第２の情報取得部５６によって取得される。
【００４２】
連携処理部１０２は、利用者によって連携が指示された旨の通知を車載装置１の連携処理部５４から受信したときに、車載装置１と連携する処理を行う。例えば、連携処理部１０２は、表示部１２２の表示画面と同じ画面を車載装置１の表示装置３２に表示するために必要な画像情報を車載装置１に向けて送信するとともに、車載装置１のタッチパネル２４等を用いて行われた操作内容を受信して自装置内のタッチパネル１１２等を用いた操作内容と同等に扱うことにより、車載装置１と連携する処理を行う。このようにして、車載装置１の連携処理部５４と携帯端末装置９０の連携処理部１０２が相互に連携動作することにより、携帯端末装置９０の表示内容と同じ画面を車載装置１の表示装置３２に表示させるとともに、車載装置１のタッチパネル２４等を用いて携帯端末装置９０に対して各種指示を入力する、ＣａｒＰｌａｙやＡｎｄｒｏｉｄ  Ａｕｔｏなどにおける連携動作が可能となる。
【００４３】
電話処理部１０３は、特定の相手と通話を行うための発着信処理を行う。例えば、電話処理部１０３は、利用者の操作に応じて通話相手の電話番号を特定したり、利用者の操作に応じて電話帳（後述する）に登録された一の通話相手を特定してその電話番号を読み出したりして、電話処理部１５０を用いてこの電話番号の通話相手と回線を接続することにより、特定の相手と通話することができる。また、特定の相手から着信があった場合には、電話処理部１０３は、この着信に必要な処理を行って回線を接続することにより、この特定の相手と通話することができる。
【００４４】
また、本実施形態では、車載装置１の第２の電話処理部５７から、通話相手を指定（例えば、電話番号と氏名・名称を指定）して発呼処理が依頼されたときに、電話処理部１０３は、この特定された通話相手に電話をかける処理を行う。
【００４５】
本実施形態の車載装置１および携帯端末装置９０はこのような構成を有しており、次に、その動作を説明する。
【００４６】
図３は、ブルートゥース接続からＵＳＢ接続に切り替わった後に車載装置１から電話をかける動作手順を示す流れ図である。
【００４７】
車載装置１では、ブルートゥースを用いて携帯端末装置９０が接続されて第１の電話処理部５２による電話処理が待機状態のときに（ステップ１００）、第１の情報取得部５３は携帯端末装置９０がＵＳＢ接続されたか否かを判定する（ステップ１０２）。未接続の場合には否定判断が行われ、この判定が繰り返される。また、携帯端末装置９０がＵＳＢ接続された場合にはステップ１０２の判定において肯定判断が行われる。
【００４８】
次に、第１の情報取得部５３は、ブルートゥース経由で、携帯端末装置９０の識別情報と電話帳データとを含むデバイス情報を取得し、ハードディスク装置７０に保存する（ステップ１０４）。
【００４９】
次に、連携処理部５４は、利用者によって連携動作が指示されたか否かを判定する（ステップ１０６）。例えば、画面の一部に「連携」ボタンが表示されており、利用者がこの「連携」ボタンを選択するか否かで連携指示の有無が判定される。利用者によって連携動作以外の操作が行われた場合には否定判断が行われ、連携動作以外の処理が行われる。なお、本実施形態では、携帯端末装置９０との連携動作を開始した後に電話をかける場合に着目しており、それ以外の動作の具体例については説明は省略する。
【００５０】
また、利用者によって連携動作が指示されるとステップ１０６の判定において肯定判断が行われる。次に、接続遮断部５５は、ブルートゥースを用いた携帯端末装置９０との間の接続を遮断する（ステップ１０８）。また、第２の情報取得部５６は、ＵＳＢケーブルを介して接続された携帯端末装置９０からこの携帯端末装置９０の識別情報を含むデバイス情報を取得し、ハードディスク装置７０に保存する（ステップ１１０）。その後、連携処理部５４は、連携動作の指示を携帯端末装置９０に向けて送信した後（ステップ１１２）、携帯端末装置９０と連携する処理を開始する（ステップ１１４）。
【００５１】
次に、第２の電話処理部５７は、利用者によって電話をかける発信操作がなされたか否かを判定する（ステップ１１６）。この時点では、携帯端末装置９０の表示内容と同じ画面が表示装置３２に表示されており、利用者は、操作部２０の特定のスイッチ（例えば、ハンドルに設けられた「電話」スイッチ）を押すことにより、発信操作を開始することができる。利用者によって発信操作がなされない場合には否定判断が行われ、この判定が繰り返される。また、利用者によって発信操作がなされた場合にはステップ１１６の判定において肯定判断が行われる。
【００５２】
次に、第２の電話処理部５７は、通話相手を特定するための動作を行う（ステップ１１８）。なお、この動作中は、それまで表示されていた携帯端末装置９０と同じ画面に代えて、車載装置１に備わった独自の機能を用いて通話相手を特定する専用画面が表示される。また、短縮番号機能やボイスタグ機能を用いて通話相手を特定することができる。
【００５３】
また、第２の電話処理部５７は、ステップ１０４で保存したデバイス情報とステップ１１０で保存したデバイス情報とを比較する（ステップ１２０）。
【００５４】
次に、第２の電話処理部５７は、ＵＳＢ接続が有効か（切断されていないか）否か（ステップ１２２）、デバイス（デバイス情報を比較した携帯端末装置９０）が同一か否か（ステップ１２４）を判定する。ＵＳＢ接続が有効でない場合（ステップ１２２の判定において否定判断）や、デバイスが同一でない場合（ステップ１２４の判定において否定判断）には発信動作を中断して処理を中断する。その後、ステップ１１６に戻って発信操作待ちの状態に移行する。
【００５５】
また、ＵＳＢ接続が有効（ステップ１２２の判定において肯定判断）で、デバイスが同一の場合（ステップ１２４の判定において肯定判断）には、第２の電話処理部５７は、特定した通話相手の電話番号と氏名・名称を指定して、携帯端末装置９０に向けて発呼処理を依頼する（ステップ１２８）。
【００５６】
一方、携帯端末装置９０では、ＵＳＢ接続された後（ステップ２００）、情報送信部１０１は、ＵＳＢケーブルを介して携帯端末装置９０の識別情報を含むデバイス情報を車載装置１に向けて送信する（ステップ２０２）。このデバイス情報は、上述したステップ１１０において第２の情報取得部５６によって取得され、ハードディスク装置７０に保存される。
【００５７】
また、連携処理部１０２は、上述したステップ１１２において連携処理部５４から送られてくる連携動作の指示に応じて、車載装置１と連携する処理を開始する（ステップ２０４）。
【００５８】
その後、電話処理部１０３は、上述したステップ１２８において車載装置１から送られてくる発呼依頼を受信すると、この依頼とともに指定された電話番号、氏名・名称と、電話帳データに含まれる電話番号、氏名・名称とを照合する（ステップ２０６）。これらの情報は基本的に一致するはずであるが、データが破損している場合もあり、例外的に照合の結果が不一致の場合にはエラー処理が行われる。照合が終了した後、電話処理部１０３は、指定された電話番号に対して発呼処理（発信処理）を行う（ステップ２０８）。
【００５９】
このように、本実施形態の車載装置１では、携帯端末装置９０と連携動作中に電話をかける場合であっても、車載装置１に備わった第１の電話処理部５２と同じ手順で通話相手を特定する処理が行われるため、第１の電話処理部５２が直接携帯端末装置９０を通して電話をかける場合と同様の操作性を実現することができ、接続方式毎の操作手順の違いによる操作性の低下を防止することができる。
【００６０】
また、各接続方式毎（ブルートゥースを介した接続とＵＳＢケーブルを介した接続）に別々に携帯端末装置９０から識別情報を取得してこれらが一致する場合に携帯端末装置９０に対して発呼処理を行わせることにより、想定していない携帯端末装置９０が接続されている場合にこの携帯端末装置９０を用いて電話をかける誤操作を回避することができる。
【００６１】
また、ブルートゥースを介して接続が遮断される前に、携帯端末装置９０の識別情報とともに複数の通話相手の電話番号、氏名・名称が少なくとも含まれる電話帳データを取得しており、これにより、ブルートゥースを介した接続が遮断される前に携帯端末装置９０が保持していた情報を用いて、遮断後に通話相手を特定することができる。
【００６２】
また、車載装置１の第１および第２の電話処理部５２、５７は、短縮番号機能やボイスタグ機能を用いて通話相手の特定を行うことができ、これにより、車載装置１が有する独自の方法を、通話相手の特定に利用することができる。
【００６３】
なお、本発明は上記実施形態に限定されるものではなく、本発明の要旨の範囲内において種々の変形実施が可能である。上述した実施形態では、車載装置１と携帯端末装置９０を連携させる場合について説明したが、車載装置１以外の情報処理装置と携帯端末装置９０とを連携させる場合にも本発明を適用することができる。例えば、情報処理装置として、パーソナルコンピュータや家庭用テレビジョン受信機などを携帯端末装置９０と連携させるようにしてもよい。
【００６４】
また、上述した実施形態では、ブルートゥースおよびＵＳＢケーブルを介して車載装置１と携帯端末装置９０とを接続したが、その他の接続方法（例えば無線ＬＡＮ等）を組み合わせる場合にも本発明を適用することができる。
【産業上の利用可能性】
【００６５】
上述したように、本発明によれば、携帯端末装置と連携動作中に電話をかける場合であっても、情報処理装置に備わった第１の電話処理手段と同じ手順で通話相手を特定する処理が行われるため、第１の電話処理手段が直接携帯端末装置を通して電話をかける場合と同様の操作性を実現することができ、接続方式毎の操作手順の違いによる操作性の低下を防止することができる。
【符号の説明】
【００６６】
１  車載装置
２０、１１０  操作部
２４  発話スイッチ（ＳＷ）
２４、１１２  タッチパネル
２６、１１４  入力制御部
３０、１２０  表示処理部
３２  表示装置
４４  マイクロホン
５０、１００  制御部
５１  接続検出部
５２  第１の電話処理部
５３  第１の情報取得部
５４  連携処理部
５５  接続遮断部
５６  第２の情報取得部
５７  第２の電話処理部
９０  携帯端末装置
１０１  情報送信部
１０２  連携処理部
１０３  電話処理部
【図１】
0006509077.tif 000002
【図２】
0006509077.tif 000003
【図３】
0006509077.tif 000004